(57)【要約】【課題】条数の多い目地を形成でき、しかも施工も容易なタイルユニット及びその施工壁面を提供する。【解決手段】タイルユニット１は複数枚のタイル２を目地材３で連結したものである。各タイル２の表面は、格子状の凹条２ａによって小表面領域２ｂに分画されている。各凹条２ａに同一の目地材３が充填されている。【選択図】図１
2010001638.tif 000002
【特許請求の範囲】
【請求項１】
表面に凹条が設けられた複数枚のタイルよりなるタイルユニットであって、
複数枚の該タイルが相互間に目地間隙をあけて配列され、該凹条及び目地間隙に同一の目地材が充填されているタイルユニット。
【請求項２】
請求項１において、前記目地材は樹脂目地材であることを特徴とするタイルユニット。
【請求項３】
請求項１又は２において、前記凹条を挟んで隣接するタイル表面の２領域が異色であることを特徴とするタイルユニット。
【請求項４】
請求項１ないし３のいずれか１項に記載のタイルユニットが、複数枚、相互間に目地間隙を介して下地面に張り付けられ、この目地間隙に前記目地材と同一の目地材が充填されているタイルユニット施工壁面。
【請求項５】
請求項４において、該目地材は樹脂目地材であり、塗り目地によって充填されたものであることを特徴とするタイルユニット施工壁面。
【発明の詳細な説明】
【技術分野】
【０００１】
本発明はタイルユニットに係り、特に表面に擬似目地と通称される凹条を有したタイルを複数枚連結してなるタイルユニットに関する。また、本発明は、このタイルユニットを張付施工した壁面に関する。
【背景技術】
【０００２】
タイルを壁面や床面に張り付け施工する場合、タイル同士の間に所定の目地間隔をあけてタイルをモルタルや接着剤で張り付けた後、塗り目地法によって目地詰めすることが多い。
【０００３】
なお、塗り目地法とは、スラリー状の目地材料をタイル張り付け面の全面に塗布して塗り伸ばし、目地に充填した後、タイル表面の目地材料を拭き取るようにした目地充填方法である。
【０００４】
このような方形のタイルを塗り目地法によって施工した構造にあっては、目地がタイル同士の間にのみ現われることになり、意匠のバリエーションが制限される。タイルを小さくすれば目地の条数を増やすことができるが、タイル張り付けの手間がかかり施工能率がかなり悪くなる。
【０００５】
実開昭６２−７５１５１号の第５図には、このような問題に対処するために、表面に凹条を格子状に設け、表面をモザイクタイル調としたタイルが提案されている。このようなタイルを下地に張り付けて塗り目地すれば、目地材はタイル同士の目地間隙だけでなく凹条にも充填されるので、タイルを小形化することなく目地の条数を増やすことができ、タイル張り付けの手間も増えない。
【０００６】
なお、上記のような凹条は擬似目地と称されることがある。
【特許文献１】実開昭６２−７５１５１号公報
【発明の開示】
【発明が解決しようとする課題】
【０００７】
上記の擬似目地タイルを１枚ずつ張ってから目地詰めするのでは、タイル張りの枚数が多く、また目地詰め量が多く、施工に手間がかかる。
【０００８】
本発明は、条数の多い目地を形成でき、しかも施工も容易なタイルユニット及びその施工壁面を提供することを目的とする。
【課題を解決するための手段】
【０００９】
請求項１のタイルユニットは、表面に凹条が設けられた複数枚のタイルよりなるタイルユニットであって、複数枚の該タイルが相互間に目地間隙をあけて配列され、該凹条及び目地間隙に同一の目地材が充填されているものである。
【００１０】
請求項２のタイルユニットは、請求項１において、前記目地材は樹脂目地材であることを特徴とするものである。
【００１１】
請求項３のタイルユニットは、請求項１又は２において、前記凹条を挟んで隣接するタイル表面の２領域が異色であることを特徴とするものである。
【００１２】
請求項４のタイルユニット施工壁面は、請求項１ないし３のいずれか１項に記載のタイルユニットが、複数枚、相互間に目地間隙を介して下地面に張り付けられ、この目地間隙に前記目地材と同一の目地材が充填されているものである。
【００１３】
請求項５のタイルユニット施工壁面は、請求項４において、該目地材は樹脂目地材であり、塗り目地によって充填されたものであることを特徴とするものである。
【発明の効果】
【００１４】
本発明（請求項１）のタイルユニットは、複数枚の擬似目地タイルを目地材で連結したものであり、単体の擬似目地タイルを１枚ずつ張り付けする場合に比べてタイルを張る工数が少ない。また、タイルユニットのタイル表面の凹条には予め目地材が充填されているので、施工現場ではタイルユニット同士の間の目地間隙にのみ目地材を充填すればよい。従って、このタイルユニットは施工効率が極めて良好である。
【００１５】
この目地材としては、樹脂目地材が良好である。樹脂目地材は、吸水状況によって目地色が変化することがない。同種の樹脂目地材を、凹条と、タイルユニット同士の間の目地間隙に充填することにより、壁面全体のタイル目地が同色となる。
【００１６】
凹条を挟んで隣接する２領域を異色とすることにより、１枚のタイルもしくはタイルユニットの中に複数色よりなる模様を形成することができる。
【発明を実施するための最良の形態】
【００１７】
以下、図面を参照して実施の形態について説明する。
【００１８】
第１図は実施の形態に係るタイルユニット１の斜視図、第２図は別の実施の形態に係るタイルユニット１Ａの斜視図、第３図はタイル単体の斜視図、第４図はタイルユニットの正面図、第５図はタイルユニットを施工したタイル壁の正面図である。
【００１９】
第１図のタイルユニット１は、複数枚（この実施の形態では４枚）のタイル２を有する。各タイル２は、第３図に示す通り、表面に凹条２ａが格子状に設けられ、凹条２ａによって多数の小表面領域２ｂを区画形成したものである。なお、１枚のタイルユニットは、総重量が０．５〜５ｋｇ特に１〜３ｋｇ程度となるようにタイル枚数が選定されることが好ましい。タイルユニットを下地面に取り付ける作業のしやすさと、タイルユニットの輸送時の破損防止の観点から、３００×３００ｍｍから６００×６００ｍｍの大きさが好ましい。
【００２０】
このタイル２は、好ましくは乾式プレス成形によって図示の形状に成形され、次いで表面領域２ｂを釉によって絵付けし、次いで焼成することによって製造される。表面領域２ｂには、例えば後述の第５図の風景画の１分画の絵柄が印刷される。この印刷はインクジェットによるのが好適である。各表面領域２ｂは凹条２ａによって分画されているので、多少の位置ずれがあっても隣接表面領域に影響を与えることなく的確に表面領域に描画することができる。なお、タイル２の一辺は１００〜３００ｍｍ特に１５０〜２００ｍｍ程度が好適である。凹条２ａの幅は１〜５ｍｍ特に１．５〜３ｍｍ程度が好適である。凹条２ａの深さは１〜３ｍｍ程度が好適である。１つの表面領域２ｂの一辺は５〜２５ｍｍ特に５〜１０ｍｍ程度が好適である。
【００２１】
このタイルユニット１は、複数枚のタイル２を、目地間隙をあけて配列し、凹条２ａ及び目地間隙に樹脂目地材３を充填することにより構成されたものである。タイル２同士は、目地間隙に充填された樹脂目地材３によって連結されている。凹条２ａの幅と目地間隙とは同一とされる。樹脂目地材３の充填方法は塗り目地法が好適である。
【００２２】
第２図のタイルユニット１Ａは、複数枚のタイル２同士が裏打ちネット５によって連結されたものである。各タイル２の凹条２ａ及びタイル２間の目地間隙にはセメント系目地材４が充填されている。
【００２３】
複数枚のタイルユニット１又は１Ａを用いてタイル壁を構築した一例を第５図に示す。
【００２４】
第５図は８枚のタイルユニット１ａ〜１ｈを目地間隙をあけて並べて下地壁にタイル張り付け用接着剤で張り付け、目地間隙に目地材を塗り目地によって充填したものである。目地材は各タイルユニット１ａ〜１ｈの目地材と同一のものが用いられている。
【００２５】
８枚のタイルユニット１ａ〜１ｈによって風景画が構成されるように各タイルユニット１ａ〜１ｈに、この風景画を８分割した１分画の模様が描画されている。この描画は、各タイルに釉の印刷を施し次いでタイルを焼成することによって各タイルに絵付けすることによって構成される。
【００２６】
このような絵付けを施したタイルを複数枚連結してタイルユニット１ａ〜１ｈを構成しておく。８枚のタイルユニット１ａ〜１ｈを１セットとして出荷し、このセットには、塗り目地用の目地材が缶又はチューブ入りの荷姿にて梱包しておく。また、第５図の通りに仕上がった写真又は絵も同包しておく。施工業者は、この写真又は絵を見ながら各タイルユニット１ａ〜１ｈを割り付けて下地壁に張り、その後、塗り目地して目地詰めすることにより、第５図のタイル壁が構成される。
【００２７】
第５図の通り、このタイルユニット１ａ〜１ｈを用いることにより、モザイクタイル張り調の風景意匠を有したタイル壁面を容易に構成することができる。
【００２８】
なお、本発明では、タイルユニットの１個の表面領域２ｂについては一様な単一色とするのが、施釉が容易で好適である。凹条２ａがあるため、色の境界で釉が混じりあい不鮮明になる不具合を防止できる。この場合には、第５図の屋根などに見られる第６図（ａ）の山形の模様は、第６図（ｂ）の段々状として表わされることになる。また、第５図の木や森などに見られる第７図（ａ）の曲線模様は、第７図（ｂ）の段々状として表わされることになる。ただし、１個の表面領域２ｂに色分けして模様を描いてもよい。この場合、色の境界が不鮮明にならない釉を用いる。
【００２９】
上記実施の形態は本発明の一例であり、本発明は図示以外の態様とされてもよい。例えば、１つの壁面に張り付けるタイルユニットの枚数は第５図のものに限定されない。
【図面の簡単な説明】
【００３０】
【図１】実施の形態に係るタイルユニット１の斜視図である。
【図２】別の実施の形態に係るタイルユニット１Ａの斜視図である。
【図３】タイル単体の斜視図である。
【図４】タイルユニットの正面図である。
【図５】タイルユニットの施工壁面を示すタイル壁の正面図である。
【図６】タイルユニットによって描かれる線の説明図である。
【図７】タイルユニットによって描かれる線の説明図である。
【符号の説明】
【００３１】
１，１Ａ，１ａ〜１ｈ  タイルユニット
２  タイル
２ａ  凹条
２ｂ  表面領域
３  樹脂目地材
４  セメント系目地材
【図１】
2010001638.tif 000003
【図２】
2010001638.tif 000004
【図３】
2010001638.tif 000005
【図４】
2010001638.tif 000006
【図５】
2010001638.tif 000007
【図６】
2010001638.tif 000008
【図７】
2010001638.tif 000009